(57)【要約】フレーム数で受信（ページング）周期が定義されているシステムおいて、フレーム長が変わっても、時間単位で同じになるようにページング周期を変更することで、移動機ＭＳの消費電力、及び、着信時の応答遅延を維持する。このために、無線基地局からの信号をフレーム数で定義される周期毎に受信して、着信通知を検出する移動機は、受信フレームのフレーム長の変化を検知する測定部と、前記変化が検知された場合に、前記周期を定義する前記フレーム数を増加又は減少させる周期変更部と、前記周期変更部で変更した周期に応じて前記無線基地局からの信号の受信を行う着信通知監視部とを有する。
2009022367.tif 000002
【特許請求の範囲】
【請求項１】
無線基地局からの信号をフレーム数で定義される周期毎に受信して、着信通知を検出する移動機であって、
受信フレームのフレーム長の変化を検知する測定部と、
前記変化が検知された場合に、前記周期を定義する前記フレーム数を増加又は減少させる周期変更部と、
前記周期変更部で変更した周期に応じて前記無線基地局からの信号の受信を行う着信通知監視部と
を有することを特徴とする移動機。
【請求項２】
請求項１において、
前記周期変更部は、前記測定部で受信フレームのフレーム長の変化を検知した際、フレーム長変化前と時間単位で同じになるような間欠的な受信の周期を要求ページング周期として無線基地局側装置に送信し、前記送信した要求ページング周期に基づいた間欠的な受信の周期を受信して、前記受信した間欠的な受信の周期に変更する、
ことを特徴とする移動機。
【請求項３】
請求項１において、
前記周期変更部は、前記測定部で受信フレームのフレーム長の変化を検知した際、無線基地局側装置に間欠的な受信の周期の変更を要求し、前記受信の周期の変更の要求に対する応答として、前記無線基地局側装置から前記フレーム長変化前と時間単位で同じになるような間欠的な受信の周期を受信し、前記受信した間欠的な受信の周期に変更する、
ことを特徴とする移動機。
【請求項４】
請求項１において、
前記周期変更部は、前記測定部で受信フレームのフレーム長の変化を検知した際に前記フレーム長変更前と時間単位で同じになるような間欠的な受信の周期に変更するための変換方式を特定するコードと、前記変換方式に必要なパラメータを無線基地局側装置と送受する、
ことを特徴とする移動機。
【請求項５】
請求項２において、
前記周期変更部と前記無線基地局側装置との間での前記要求ページング周期の送受信をレンジング・メッセージで行うことを特徴とする移動機。
【請求項６】
請求項３において、
前記周期変更部から前記無線基地局側装置への間欠的な受信の周期の変更の要求の送信と、前記無線基地局側装置からの前記間欠的な受信の周期の受信をレンジング・メッセージで行うことを特徴とする移動機。
【請求項７】
無線基地局からの信号をフレーム数で定義される周期毎に受信して、着信通知を検出する移動機であって、
受信フレームのフレーム長の変化を検知する測定部と、
前記変更が検知された場合に、前記周期に応じて受信するインターバルを増加又は減少させる変更部と、
前記変更部で変更したインターバルに応じて前記無線基地局からの信号の受信を行う着信通知監視部と
を有することを特徴とする移動機。
【請求項８】
移動機に対して着信通知を行う信号をフレーム数で定義される周期毎に訪れるフレームで送信するように制御する無線基地局側の装置において、
移動機に対応するフレーム長及び着信通知の周期を取得し、ある無線基地局の送信するフレーム長が該移動機に対応するフレーム長と異なる場合に、前記着信通知の周期を短く設定する周期変更部、
を有することを特徴とする無線基地局側の装置。
【請求項９】
移動機に対して着信通知を行う信号をフレーム数で定義される周期毎に訪れるフレームで送信するように制御する無線基地局側の装置において、
フレーム長の変化を検出した移動機から送信される着信通知の周期変更要求に応じて無線基地局の該移動機に対する着信通知の周期を変更する周期変更部、
を有することを特徴とする無線基地局側の装置。
【発明の詳細な説明】
【技術分野】
【０００１】
本発明は、 無線通信システムにおける移動機、及び無線基地局側装置に関する。
【背景技術】
【０００２】
近年、WiMAX(Worldwide
Interoperability for Microwave Access)と称される無線通信方式について、IEEE(Institute of
Electrical and Electronic Engineers：米国電気電子学会)において、その標準化作業が進められている。【０００３】
WiMAXには、移動しない加入者局(Subscriber
Station)を対象とした規格であるIEEE 802.16dと、移動する加入者局(移動機; Mobile Station：ＭＳ)を対象とした規格であるIEEE
802.16eがある。【０００４】
図１は、無線通信システムのネットワーク構成例を示す図である。図１に示すネットワーク構成は、コアネットワーク１と、制御装置２、及び制御装置２に接続される複数の無線基地局ＢＳ３−１〜３−３（以下、個別に特定する場合を除き、単に無線基地局ＢＳと表記する)を含むアクセスネットワークＡＮと、移動機ＭＳによって構成される。【０００５】
なお、システムとして制御装置２が、複数の無線基地局ＢＳとは独立に示されているが、複数の無線基地局ＢＳのいずれか一つの無線基地局ＢＳ内にその機能を備えるように構成されることも可能である。したがって、制御装置２は、無線基地局側装置という概念で把握することが可能である。【０００６】
アイドルモード中の移動機ＭＳは、特定の無線基地局ＢＳ単位に登録せずに、ページンググループＰＧ（＝ページングエリア；ロケーションエリア；位置登録エリア）４−１、４−２、４−３（以下、個別に特定する場合を除き、単にページンググループＰＧと表記する）内の全無線基地局が送信する着信通知メッセージ（Paging Message）１００を監視し、移動機ＭＳ宛のトラヒックの有無を一定周期毎に確認する。【０００７】
着信通知の監視の対象となるフレームは、間欠的に定められるので、着信通知監視対象のフレーム以外のフレーム期間中には移動機ＭＳは、受信を休止して消費電力を削減することができる。【０００８】
アイドルモード中の移動機ＭＳは、特定の無線基地局ＢＳに端末情報の登録をしないので、同一ページンググループＰＧ内を移動する限りは、無線基地局ＢＳ間を移動したとしても、再登録を行う必要はない。【０００９】
アイドルモード中の移動機ＭＳが、異なるページンググループＰＧへ移動（例えば、ページンググループＰＧ４−１から４−２へ移動）する場合は、アイドルモード中の移動機ＭＳは、位置登録更新処理を行い、自身が属するページンググループＰＧを制御装置２へ登録する。【００１０】
制御装置２は、ページングコントローラ及びロケーションレジスタを有し、複数の無線基地局ＢＳを管理し、アイドルモード中の移動機ＭＳが、どのページンググループＰＧに属しているかを管理する。制御装置２は、アイドルモード中の移動機ＭＳに対する着信データを受信すると、着信通知(Paging Announce)を移動機ＭＳに属するページンググループＰＧ内の複数の無線基地局ＢＳへ送信する。【００１１】
この着信通知を受信した無線基地局ＢＳは、着信通知メッセージ１００（Paging Message; MOB_PAG-ADV）を広報（ブロードキャスト、または、マルチキャスト）する。【００１２】
移動機ＭＳは、上記の着信通知メッセージ１００で自分宛のトラフィックがあることを確認すると、アイドルモードＩＭから抜けてノーマルモードＮＭに移行する。そして、特定の無線基地局ＢＳに登録し、当該特定の無線基地局ＢＳとリンクを確立する。【００１３】
リンク確立後、無線基地局ＢＳが当該移動機宛の信号を対応する移動機ＭＳへ送信することで、該当の移動機ＭＳに対する着信（＝呼び出し）を実現する。【００１４】
図２は、従来のアイドルモード遷移手順を示す図である。アイドルモードＩＭへの遷移を所望する移動機ＭＳは、アイドルモード遷移要求メッセージである（DREG-REQ：De-REgistration REQuest)を無線基地局ＢＳへ送信する(ステップＳ１)。このとき、移動機ＭＳは、 アイドルモード遷移要求メッセージDREG-REQに、要求ページング周期(Paging
Cycle Request)を含ませる。【００１５】
要求ページング周期は、移動機ＭＳが所望するページング周期(Paging Cycle) ＰＣ、即ち、間欠受信の周期である。【００１６】
ページング周期ＰＣが短い方が、着信に対する移動機ＭＳからの応答遅延を短く出来るが、着信通知の監視の対象となるフレームが、より頻繁に発生し、移動機ＭＳの消費電力が多くなる。【００１７】
逆に、ページング周期ＰＣが長い方が、応答遅延は長くなるが、着信通知の監視の対象となるフレームが、あまり頻繁には発生しなくなるので、移動機ＭＳの消費電力は少なくなる。【００１８】
移動機ＭＳは、応答遅延と消費電力のトレードオフを考慮して、自身が所望する要求ページング周期を決定する。【００１９】
アイドルモード遷移要求メッセージ（DREG-REQ）を受信した無線基地局ＢＳは、アイドルモード遷移要求を受信した旨を、アイドルモード遷移要求受信通知メッセージである（IM_Entry_State_Change_Req）を用いて、制御装置２へ送信する(ステップＳ２)。【００２０】
このとき、無線基地局ＢＳは、アイドルモード遷移要求受信通知メッセージ（IM_Entry_State_Change_Req）に、移動機識別子（MSID)、無線基地局識別子（BSID)、及び要求ページング周期を含ませる。【００２１】
アイドルモード遷移要求受信通知メッセージ（IM_Entry_State_Change_Req）を制御装置２が受信すると、制御装置２は、要求ページング周期を考慮したうえで、移動機ＭＳのページング周期ＰＣ、ページングオフセットＰoff、ページングインターバル長
(Paging Interval Length)ＰＬ、ページンググループＰＧを決定し、移動機ＭＳのページング周期ＰＣ、ページングオフセットＰoff、ページングインターバル長ＰＬ、ページンググループＰＧを保持する。【００２２】
ページングオフセットＰoffは、ページング周期ＰＣ内において、着信通知の監視の対象となるフレームが始まる位置を示している。【００２３】
後に再度詳細に説明するが、ページングインターバル長ＰＬは、ページング周期ＰＣ内において、着信通知の監視の対象となるフレームが始まってから終わるまでの期間である。【００２４】
制御装置２は、例えば、要求ページング周期が極端に大きい、または、小さい場合などを除き、基本的には、決定するページング周期ＰＣを要求ページング周期と同じ値とする。【００２５】
制御装置２は、更に移動機識別子（MSID)、 基地局識別子（BSID)、
ページング周期ＰＣ、 ページングオフセットＰoff、 ページングインターバル長ＰＬ、 ページンググループＰＧを含む、アイドルモード遷移要求受信応答メッセージ（IM_Entry_State_Change_Rsp）を無線基地局ＢＳへ送信する(ステップＳ３)。【００２６】
アイドルモード遷移要求受信応答メッセージ（IM_Entry_State_Change_Rsp）を受信すると、無線基地局ＢＳは、アイドルモード遷移指示メッセージである（DREG-CMD：De-REgistration
CoMmanD)を移動機ＭＳへ送信する（ステップＳ４）。【００２７】
このとき、無線基地局ＢＳは、 アイドルモード遷移指示メッセージ（DREG-CMD）に、ページング周期ＰＣ、 ページングオフセットＰoff、 ページングインターバル長ＰＬ、 ページンググループＰＧを含ませる。【００２８】
以降、移動機ＭＳは、ノーマルモードＮＭから、受信したページング周期ＰＣ、ページングオフセットＰoff、ページングインターバル長ＰＬによって定義される着信通知監視対象フレームを間欠的に監視するアイドルモードＩＭへと遷移する。【００２９】
なお、図２では、移動機ＭＳのページングインターバル長ＰＬを制御装置２が決定しているが、無線基地局ＢＳが決定するようにしても良い。移動機毎にページングインターバル長ＰＬを決定せず、システムで一意に設定されたページングインターバル長とする場合には、制御装置２が移動機毎に決定したページングインターバル長ＰＬを無線基地局ＢＳへ送信するのではなく、無線基地局ＢＳが、設定値であるページングインターバル長ＰＬを移動機ＭＳへ送信しても良い。【００３０】
上記の移動機ＭＳのページングインターバル長ＰＬの決定の仕様については、IEEE 802.16e標準には特にいずれかの態様に限定はしていないが、現状のWiMAX Forum NWG(Network
Working Group)仕様では、無線基地局ＢＳが決定する仕様としている。【００３１】
上述のようなアイドルモード遷移手順によって、移動機ＭＳは、所望する要求ページング周期を基に決定されたページング周期ＰＣでアイドル動作を行う。【００３２】
一方、制御装置２は、移動機ＭＳのページンググループＰＧ、及び、ページング周期ＰＣ、ページングオフセットＰoff、及び、実装によっては、ページングインターバル長ＰＬを保持する。【００３３】
IEEE 802.16e標準では、ページング周期ＰＣ、ページングオフセットＰoff、ページングインターバル長ＰＬをフレーム単位で定義しており、これらのパラメータを使用して、以下の数式に従い、図３に示すように着信監視対象のフレームを定義する。  【００３４】
Ｎframemoduloページング周期ＰＣ＝ページングオフセットＰoff
但し、「modulo」は剰余演算である。          【００３５】
Ｎframeは、着信通知監視対象フレームの開始フレームのフレーム番号（図３の例では、１１２、１２２）である。この開始フレームからページングインターバル長ＰＬ分だけ、着信通知監視対象のフレームとなる。【００３６】
ページング周期ＰＣのフレーム数(図３では、１０フレーム数)毎に、着信通知の監視期間Ｉが発生する。無線基地局ＢＳは、着信通知メッセージ１００を広報するときは、着信通知監視対象フレームのいずれかで広報する。フレーム長は、時間、例えば、ミリ秒で定義される。【００３７】
さらに、ページングオフセットPoffが変えられるように制御される。これは、特定のフレームに移動機ＭＳへの着信通知メッセージが集中するのを避けるためである。図３の例では、ページング周期ＰＣ＝１０フレームとし、ページング周期ＰＣのフレーム数毎に、着信通知の監視期間Ｉが発生させる場合、２フレーム分のページングオフセットＰoffを与えて、着信通知の監視期間Ｉは、１１２フレーム目から始まり、ページングインターバル長ＰＬ＝２フレームとする例を示している。【００３８】
着信通知監視期間Ｉの周期間後は休止期間ＲＣとなる。【００３９】
IEEE 802.16e標準において、アイドルモードＩＭ中の移動機ＭＳは、位置登録更新処理によって、新たなページンググループＰＧを制御装置２から通知されるのと同時に、ページング周期ＰＣ、
ページングオフセットＰoff、 ページングインターバル長ＰＬを受信する場合もある。【００４０】
これは、制御装置２が、ページンググループＰＧによって、ページング周期ＰＣ、 ページングオフセットＰoff、 ページングインターバル長ＰＬを変更したい場合に、変更後の値を移動機ＭＳへ通知するためである。【００４１】
制御装置２は、以降、変更後のページング周期ＰＣ、 ページングオフセットＰoff、 ページングインターバル長ＰＬを保持する。【００４２】
また、従来の技術として、ページンググループＰＧ（＝ページングエリア；ロケーションエリア；位置登録エリア）の変更、時間帯(昼/夜等)の違い、移動機ＭＳが享受するサービスの違いにより、ページング周期ＰＣを変更する技術がある（例えば、特許文献１〜３）。
【特許文献１】特開2004-247801公報
【特許文献２】特開2005-79660公報
【特許文献３】特開平6-141365公報
【発明の開示】
【発明が解決しようとする課題】
【００４３】
ここで、上述の従来の技術では、アイドルモードＩＭ中の移動機ＭＳが、フレーム長が異なる無線基地局ＢＳへ移動、または、無線基地局ＢＳのフレーム長が変更されると、移動機ＭＳが所望したページング周期ＰＣ（Ｔ１）とは異なるページング周期ＰＣ（Ｔ２）で着信通知監視動作を行うことになる。かかる場合、移動機ＭＳにおける消費電力が多くなってしまう、若しくは、着信時の応答遅延が大きくなってしまうという課題がある。【００４４】
したがって、本発明の目的は、フレーム長単位でページング周期ＰＣが定義されている無線通信システムおいて、無線基地局毎にフレーム長が変わっても、移動機ＭＳの消費電力の変動、及び、着信時の応答遅延の変動を少なくすることを可能とする無線通信システムにおける移動機、及び無線基地局側装置を提供することにある。
【課題を解決するための手段】
【００４５】
上記の課題を解決する本発明の第１の側面は、周期がフレーム長単位で設定されている複数の受信フレーム群のいずれかを用いて無線基地局からの着信通知を間欠的に受ける移動機であって、着信通知を受けるべき受信フレームのフレーム長の変更を検知するフレーム長測定部と、前記フレーム長の変更前と時間単位で同じになるように間欠的な受信の周期を変更する周期変更部と、前記周期変更部で変更した間欠的な受信の周期で、間欠的な受信を行う着信通知監視部を有することを特徴とする。【００４６】
さらに、上記の課題を解決する本発明の第２の側面は、移動機が間欠的な受信を行う受信フレーム群のいずれかを用いて前記移動機に着信通知を行い、前記間欠的な受信の周期をフレーム長単位で設定する無線通信システムにおいて、前記移動機が登録している、間欠的な受信の周期が設定されるフレーム長と異なるフレーム長を有する無線基地局側の装置であって、前記移動機が登録しているフレーム長を保持する保持部と、前記無線基地局のフレーム長単位で設定された間欠的な受信の周期を、前記移動機が登録しているフレーム長で設定された間欠的な受信の周期と、時間単位で同じになるように変更する周期変更部と、前記無線基地局の有するフレーム長で設定された間欠的な受信の周期で前記移動機に着信通知を行う着信通知部を有することを特徴とする。【００４７】
上記の本発明の特徴によれば、フレーム長単位で受信（ページング）周期が定義されているシステムおいて、フレーム長が変わっても、ページング周期を変更することで、移動機ＭＳの消費電力の変動、及び、着信時の応答遅延の変動を抑制することができる。
【図面の簡単な説明】
【００４８】
【図１】従来のネットワーク構成を示す図である。
【図２】従来のアイドルモード遷移手順を示す図である。
【図３】着信通知監視対象フレームの例を示す図である
【図４】移動機ＭＳの着信通知監視対象フレームの例を示す図である。
【図５】本発明による移動機ＭＳの着信通知監視対象フレームの例を示す図である。
【図６】本発明に従う通信システムの第１の実施例構成図である。
【図７】本発明に従う通信システムの第２の実施例構成図である。
【図８】本発明に従う通信システムの第３の実施例構成図である。
【図９】実施例におけるページング周期変更手順フローを示す図である。
【図１０】本発明の実施例におけるページング情報テーブルを示す図である。
【図１１】第２の実施例におけるページング周期変更要求手順フローである。
【図１２】第２の実施例におけるページング情報テーブルを示す図である。
【図１３】第３の実施例におけるページング周期変更要求手順フローである。
【図１４】第４の実施例のアイドルモード遷移手順フローである。
【発明を実施するための最良の形態】
【００４９】
以下に本発明の実施例構成を説明する。【００５０】
図４は、移動機ＭＳの着信通知監視対象フレームを示す図である。特に、無線基地局ＢＳ３−１の無線エリアでアイドルモードＩＭへ遷移した移動機ＭＳが、無線基地局ＢＳ３−２、無線基地局ＢＳ３−３へと順に移動した場合の、フレーム長と着信通知監視対象フレームとの関係を示している。【００５１】
無線基地局ＢＳ３−１のフレーム長は５ミリ秒、無線基地局ＢＳ３−２のフレーム長は１０ミリ秒、無線基地局ＢＳ３−３のフレーム長は２．５ミリ秒である。移動機ＭＳは、無線基地局ＢＳ３−１の配下にいるとき（図４（Ａ））、アイドルモードＩＭへ遷移し、その際、ページング周期ＰＣ＝１０[frame]、 ページングオフセットＰoff＝２[frame]、 ページングインターバル長ＰＬ=２[frame]であったとする。【００５２】
移動機ＭＳが無線基地局ＢＳ３−２へ移動すると（図４（Ｂ））、無線基地局ＢＳ３−２のフレーム長は、無線基地局ＢＳ３−１よりも長い（１０ミリ秒）ので、ページング周期ＰＣが、時間単位で見ると長くなる。【００５３】
したがって、着信時の応答遅延が、移動機ＭＳがアイドルモード遷移時に所望した値より、大きくなってしまう。【００５４】
これに対し、移動機ＭＳが無線基地局ＢＳ３−３へ移動すると、無線基地局ＢＳ３−３のフレーム長は、無線基地局ＢＳ３−１よりも短いので、ページング周期ＰＣは、時間単位で見ると短くなる。この結果、着信通知監視期間が発生する頻度が多くなるので、移動機ＭＳの消費電力は、移動機ＭＳがアイドルモード遷移時に所望した値より、多くなってしまう。【００５５】
なお、図４は、フレーム長が異なる無線基地局ＢＳ３−２、あるいはＢＳ３−３へ移動したケースを記述したが、例えば、管理者が無線基地局ＢＳ３−１のフレーム長を変更した場合であっても同じ問題が発生する。【００５６】
IEEE 802.16e標準では、フレーム長が異なる無線基地局ＢＳの混在環境は、想定しておらず、上記に対する対処法はこれまで示されていない。【００５７】
しかし、次世代のIEEE 802.16標準の無線基地局ＢＳのフレーム長が、現行のIEEE
802.16e標準の無線基地局ＢＳのフレーム長と異なるものとなる場合、IEEE 802.16e標準の無線基地局ＢＳと、次世代のIEEE 802.16標準の無線基地局ＢＳの混在による、フレーム長が異なる無線基地局が混在するという環境は十分想定される。【００５８】
そこで、この実施例では、アイドルモードＩＭ中の移動機ＭＳが、フレーム長が異なる無線基地局ＢＳの無線エリアに移動した場合、または、無線基地局ＢＳのフレーム長が変更された場合、移動機ＭＳがページング周期ＰＣを変更し、フレーム長が異なる無線基地局ＢＳが着信通知を広報する場合は、制御装置２または無線基地局ＢＳが変更したページング周期ＰＣで、無線基地局ＢＳが着信通知を広報する。【００５９】
これにより、移動機ＭＳの消費電力、及び、着信時の応答遅延を維持するものである。【００６０】
すなわち、図４と対比して図５に示すように、移動機ＭＳが、無線基地局ＢＳ３−１からフレーム長が長い無線基地局ＢＳ３−２へ移動した場合（図５（Ｂ））は、ページング周期ＰＣのフレーム数を小さくし、逆に、移動機ＭＳが、フレーム長が短い無線基地局ＢＳ３−３へ移動した場合（図５（Ｃ））は、ページング周期ＰＣのフレーム数を大きくする。【００６１】
好ましくは、時間単位で見た場合の、ページング周期ＰＣを同じにすることで、移動機ＭＳの消費電力、及び着信時の応答遅延を維持することが可能である。【００６２】
図５では、フレーム数を変え、ページングインターバル長ＰＬを変更している。ただし、消費電力及び応答遅延を維持する観点からはページングインターバル長ＰＬを変更した方が望ましいが、ページング周期ＰＣを変更するだけでも、消費電力及び応答遅延を維持する効果があるので、この場合はページングインターバル長ＰＬを変更しなくてもよい。【００６３】
アイドルモード中の移動機ＭＳが、フレーム長が異なる無線基地局ＢＳへ移動した場合、または、無線基地局ＢＳのフレーム長が変更された場合、いずれの場合でも、移動機ＭＳから見るとフレーム長が変化していることには変わりないので、以降、総称してフレーム長が変わった場合とする。【００６４】
図６は、上述した通信システムの装置構成の第１の実施例ブロック図である。【００６５】
通信システムは、無線基地局ＢＳと、移動機ＭＳと、制御装置２を有する。なお、図６において、制御装置２は、移動機ＭＳ及び無線基地局ＢＳと独立した装置として示されている。しかし、先に図１に関して説明したように、無線基地局側装置といて概念される様に、制御装置２の位置付けは、かかる構成に限定されない。いずれかの無線基地局ＢＳの機能の一部として、無線基地局内に備えられる構成であっても良い。以下に示される他の実施例構成においても同様である。【００６６】
図６において、移動機ＭＳのフレーム長測定部４０が、先に説明したように無線基地局ＢＳから送られるフレーム信号に基づいてフレーム長を測定している。すなわち、IEEE 802.16e標準の場合、ダウンリンク即ち、無線基地局ＢＳから移動機ＭＳに向かう回線により送られるDL-MAPメッセージのフィールドに含まれているフレーム長のコード値（Frame
Duration Code）から取得する。あるいは、各フレームのフレーム間隔をフレームのプレアンブル間を測定することでフレーム長を取得する。【００６７】
フレーム長が異なる無線基地局ＢＳへ移動した場合、または、無線基地局ＢＳのフレーム長が変更された場合に起因してフレーム長が変わる。フレーム長測定部４０は、この状態を判定して、変化した状態の測定された該当フレーム長をページング周期変更部４１へ送信する。【００６８】
ページング周期変更部４１は、図５で説明したように、ページング周期を変更する。即ち、フレーム長が長い無線基地局へ移動した場合は、ページング周期ＰＣのフレーム数を小さくし、逆に、移動機ＭＳが、フレーム長が短い無線基地局へ移動した場合は、ページング周期ＰＣのフレーム数を大きくする。好ましくは、フレーム長の変化前のページング周期ＰＣと、時間単位で見た場合で同じになるようにページング周期ＰＣを変更する。そして、変更後のページング周期ＰＣ、ページングオフセットＰoff、ページングインターバル長ＰＬを着信通知監視部４２へ送信する。【００６９】
着信通知監視部４２は、ページング周期ＰＣ、ページングオフセットＰoff、ページングインターバル長ＰＬで定義される着信通知監視対象フレームを監視（受信）することで、無線基地局ＢＳからの着信通知メッセージ１００を受信する。【００７０】
一方、制御装置２は、移動機ＭＳ宛の着信データＤＴを受信すると、ページング情報保持部２０が、アイドルモード遷移時、若しくは、位置登録更新時において保持しておいた該当移動機ＭＳのフレーム長、ページング周期ＰＣ、ページングオフセットＰoff、ページングインターバル長ＰＬをページング周期変更部２１へ送信する。【００７１】
ページング周期変更部２１は、ページンググループＰＧ内の複数の無線基地局毎のフレーム長を取得し（フレーム長保持部２２から）、時間単位で見た場合、ページング周期ＰＣが同じになるように、
移動機ＭＳのページング周期変更部４１と同じ方法で無線基地局毎にページング周期ＰＣを変更する。【００７２】
ついで、ページング周期変更部４１は、無線基地局ＢＳ毎に決定された、変更後のページング周期ＰＣ、ページングオフセットＰoff、ページングインターバル長ＰＬを、 ページンググループＰＧ内の各無線基地局ＢＳの着信通知部３０へ送信する。【００７３】
ページング情報保持部２０は、アイドルモード遷移時、あるいは位置登録更新時のいずれのフレーム長、ページング周期ＰＣ、ページングオフセットＰoff、ページングインターバル長ＰＬを出力しても良い。【００７４】
アイドルモード遷移時の値を出力する場合は、結果的に、アイドルモード遷移時及び位置登録更新時の両方の値を保持しておく必要がある。【００７５】
アイドルモード遷移時あるいは位置登録更新時のどちらの値にしても、移動機ＭＳが、制御装置２に登録しているフレーム長である。【００７６】
無線基地局ＢＳは、着信通知部３０が、受信したページング周期ＰＣ、ページングオフセットＰoff、ページングインターバル長ＰＬで定義される着信通知監視対象フレームのいずれかのフレームで着信通知メッセージ１００を広報する。【００７７】
なお、ページング周期変更部２１は、図６では制御装置２にあるが、無線基地局ＢＳに備えてもよい。【００７８】
図７は、通信システムの装置構成の第２の実施例ブロック図である。【００７９】
移動機ＭＳのフレーム長測定部４０が、先の第１の実施例で説明したように、無線基地局ＢＳから送られるフレーム信号に基づき、フレーム長を測定していて、フレーム長が変わったことを検知する場合、測定されたフレーム長をページング周期変更部４１へ送信する。【００８０】
移動機ＭＳのページング周期変更部４１は、 要求ページング周期１１０を、制御装置２のページング周期変更部２１へ送信し、ページング周期の変更を要求する。即ち、ページング周期を変更する。即ち、フレーム長が長い無線基地局へ移動した場合は、ページング周期ＰＣのフレーム数を小さくし、逆に、移動機ＭＳが、フレーム長が短い無線基地局へ移動した場合は、ページング周期ＰＣのフレーム数を大きくする。好ましくは、時間単位で見た場合にページング周期ＰＣが同じになるような要求ページング周期１１０を、制御装置２のページング周期変更部２１へ送信し、ページング周期の変更を要求する。【００８１】
なお、図７において、移動機ＭＳのページング周期変更部４１と制御装置２のページング周期変更部２１との間で直接メッセージの送受が行われるように略示されているが、制御装置２が、無線基地局ＢＳと独立している場合であっても、あるいは、無線基地局ＢＳ内に機能の一部として備えられる場合であっても、移動機ＭＳと制御装置２とは、メッセージの送受は無線基地局ＢＳを介して行われる。【００８２】
以下に示す実施例においても同様である。【００８３】
移動機ＭＳは、上記ページング周期の変更要求の応答として、前記要求ページング周期１１０を基に決定されたページング周期ＰＣ、ページングオフセットＰoff、ページングインターバル長ＰＬを制御装置２のページング周期変更部２１からページング周期変更部４１で受信し、それらを、着信通知監視部４２へ送信する。【００８４】
着信通知監視部４２は、受信したページング周期ＰＣ、ページングオフセットＰoff、ページングインターバル長ＰＬで定義される着信通知監視対象フレームを監視し、同時に無線基地局ＢＳの着信通知部３０から着信通知メッセージ１００を受信する。【００８５】
制御装置２は、ページング周期変更部２１で移動機ＭＳからの要求ページング周期１１０を受信すると、この受信した要求ページング周期１１０を基にページング周期ＰＣ、ページングオフセットＰoff、ページングインターバル長ＰＬを決定し、それらを、移動機ＭＳ及びページング情報保持部２０へ送信する。【００８６】
制御装置２のページング情報保持部２０は、以降、受信したページング周期ＰＣ、ページングオフセットＰoff、ページングインターバル長ＰＬを移動機別に保持する。【００８７】
制御装置２は、移動機ＭＳ宛の着信データＤＴを受信すると、ページング情報保持部２０が、保持している該当の移動機のページング周期ＰＣ、ページングオフセットＰoff、ページングインターバル長ＰＬを無線基地局ＢＳの着信通知部３０へ送信する。【００８８】
無線基地局ＢＳは、着信通知部３０が、受信したページング周期ＰＣ、ページングオフセットＰoff、ページングインターバル長ＰＬで定義される着信通知監視対象フレームのいずれかのフレームで着信通知メッセージ１００を広報する。【００８９】
図６と図７の実施例構成における解決策の違いに関して、図７の解決策は、アイドルモード遷移時または位置登録更新のフレーム長や、各無線基地局のフレーム長を制御装置２が保持しなくても済むという利点がある。【００９０】
図８は、通信システムの別の装置の第３の実施例構成ブロック図である。【００９１】
図８において、先の構成例と同様に、移動機ＭＳのフレーム長測定部４０が、無線基地局ＢＳのフレーム長を測定し、フレーム長が変わった場合は、このフレーム長をページング周期変更部４１へ送信する。【００９２】
移動機ＭＳのページング周期変更部４１は、制御装置２へページング周期変更要求メッセージ１１１を送信し、ページング周期ＰＣの変更を要求する。【００９３】
この際、移動機ＭＳは、要求ページング周期１１０を送信しない。単に、ページング周期変更要求メッセージ１１１を送信する。移動機ＭＳは、この要求メッセージ１１１の応答として、ページング周期ＰＣ、ページングオフセットＰoff、ページングインターバル長ＰＬを制御装置２のページング周期変更部２１から、ページング周期変更部４１により受信する。【００９４】
ついで、ページング周期変更部４１で受信したそれらを、着信通知監視部４２へ送信する。着信通知監視部４２は、受信したページング周期ＰＣ、ページングオフセットＰoff、ページングインターバル長ＰＬで定義される着信通知監視対象フレームを監視し、無線基地局ＢＳからの着信通知メッセージ１００を受信する。【００９５】
制御装置２は、ページング周期変更部２１が、要求ページング周期１１０を含まないページング周期変更要求メッセージ１１１を受信すると、ページング情報保持部２２より、アイドルモード遷移時または位置登録更新時において保持しておいた、該当の移動機ＭＳのフレーム長、ページング周期ＰＣ、ページングオフセットＰoff、ページングインターバル長ＰＬを取得する。【００９６】
ページング周期変更部２１は、フレーム長保持部２２より、該当移動機ＭＳが現在接続している無線基地局ＢＳのフレーム長を取得し、フレーム長が長い無線基地局へ移動した場合は、ページング周期ＰＣのフレーム数を小さくし、逆に、移動機ＭＳが、フレーム長が短い無線基地局へ移動した場合は、ページング周期ＰＣのフレーム数を大きくする。好ましくは、時間単位で見た場合ページング周期が同じになるように、ページング周期を変更する。変更後のページング周期ＰＣ、ページングオフセットＰoff、ページングインターバル長ＰＬを、ページング情報保持部２０及び該当移動機ＭＳのページング周期変更部４１へ送信する。【００９７】
ページング情報保持部２０は、変更後のページング周期ＰＣ、ページングオフセットＰoff、ページングインターバル長ＰＬを保持する。制御装置２は、移動機宛の着信データＤＴを受信すると、ページング情報保持部２０が保持している移動機ＭＳのページング周期ＰＣ、ページングオフセットＰoff、ページングインターバル長ＰＬを無線基地局ＢＳの着信通知部３０へ送信する。【００９８】
無線基地局ＢＳは、着信通知部３０が受信したページング周期ＰＣ、ページングオフセットＰoff、ページングインターバル長ＰＬで定義される着信通知監視対象フレームのいずれかのフレームで着信通知メッセージ１００を広報する。【００９９】
図８の実施例では、移動機ＭＳが、ページング周期変更要求時に、要求ページング周期１１０を送信しない。ページング周期変更時に要求ページング周期１１０を送信しない仕様とすることで、IEEE 802.16eの標準メッセージ仕様を変更しなくても済むという利点がある。【０１００】
次に、上記に説明した通信システムの装置構成において、移動機ＭＳが、接続する無線基地局ＢＳのフレーム長が変わったことを検知した場合、あるいは自身のページング周期を変更した場合に、無線基地局毎にページング周期ＰＣを変更する具体的な実施例手順を以下に説明する。【０１０１】
図９は、かかる実施例のページング周期変更手順フローを示す図である。【０１０２】
移動機ＭＳのページング周期変更部４１、及び制御装置２のページング周期変更部２１が、この手順に従って、ページング周期ＰＣ、ページングオフセットＰoff、ページングインターバル長ＰＬを変更する。【０１０３】
なお、これらページング周期変更部２１（４１）は、無線基地局ＢＳに設けるようにしてもよい。【０１０４】
図９において、旧フレーム長は、アイドルモード遷移時または位置登録更新時のフレーム長であり、移動機ＭＳの場合、ページング周期変更部４１が保持している。また、旧フレーム長は、制御装置２の場合、ページング情報保持部２０が保持しており、ページング周期変更部２１へ送信する。【０１０５】
図９における新フレーム長は、移動機ＭＳの場合、フレーム長測定部４０により測定され、ページング周期変更部４１へ送信する新たなフレーム長である。制御装置２の場合は、
新フレーム長は、フレーム長保持部２２が無線基地局毎に保持されるフレーム長である。【０１０６】
フレーム長測定部４０、フレーム長保持部２２が、 新フレーム長をそれぞれページング周期変更部４１、２１へ送信する。【０１０７】
無線基地局ＢＳのフレーム長保持部２２のフレーム長は、設定値若しくは制御装置２が無線基地局ＢＳに問い合わせて取得することとする。【０１０８】
一方、移動機ＭＳのフレーム長測定部４０は、フレーム長を、IEEE 802.16e標準の場合、各フレームのDL-MAPメッセージフィールドに含まれているフレーム長のコード値（Frame
Duration Code）から取得する。あるいは、各フレームのフレーム間隔を測定することで取得する。【０１０９】
図９における旧ページング周期、旧ページングオフセットＰoff、旧ページングインターバル長は、それぞれ、アイドルモード遷移時または位置登録更新時の値であり、移動機ＭＳの場合、ページング周期変更部４１が保持している。【０１１０】
また制御装置２の場合、旧ページング周期、旧ページングオフセットＰoff、旧ページングインターバル長は、ページング情報保持部２０が保持しており、ページング周期変更部２１へ送信する。【０１１１】
図９における新しいページング周期ＰＣ、新しいページングオフセットＰoff、新しいページングインターバル長ＰＬは、移動機ＭＳ及び制御装置２のページング周期変更部４１、２１が変更したページング周期ＰＣ、ページングオフセットＰoff、ページングインターバル長ＰＬである。【０１１２】
移動機ＭＳ及び制御装置２のページング周期変更部４１、２１は、図９に示すように同じ方法で、これらを変更するので、各無線基地局について、同じページング周期ＰＣ、ページングオフセットＰoff、ページングインターバル長ＰＬとなる。【０１１３】
図９のページング周期変更手順を更に説明する。【０１１４】
基本的に旧フレーム長に対する新フレーム長の倍率を求め、この倍率に応じて、旧ページング周期、旧ページングオフセット、旧ページングインターバル長から、新ページング周期、新ページングオフセット、新ページングインターバル長を求める(ステップＳ１０、Ｓ１５、Ｓ１７)。【０１１５】
ページング周期ＰＣは、自然数であるフレーム数で定義されるので、前記倍率によっては、新ページング周期と旧ページング周期が同じになる場合がある（ステップＳ１１、ＹＥＳ）。【０１１６】
そのような場合に対する処理が、ステップＳ１２の処理である。すなわち、新ページングオフセットＰoff及び、新ページングインターバル長をそれぞれ旧のままとする（ステップＳ１２）。【０１１７】
また、前記倍率によっては、新ページング周期が著しく小さな値、例えば、周期的な着信通知監視期間が定義できないほど小さな値になる場合がある（ステップＳ１３、ＹＥＳ）。そのような場合に対する処理が、ステップＳ１４の処理である。【０１１８】
すなわち、ステップＳ１４において、新ページング周期、新ページングインターバル長を、それぞれシステムとして許容できる最小値にセットする。さらに、新ページングオフセットＰoffを新/旧ページング周期の倍率に応じて決定する（ステップＳ１４）。【０１１９】
ページング周期閾値、最小ページング周期、最小ページングインターバル長は、システムで固有の設定値とし、ページング周期変更部２１、４１を有する制御装置２、移動機ＭＳで共有する。【０１２０】
システムとして、変更、若しくは非変更のページングインターバル長変更方針を有する(ステップＳ１６)。ページングインターバル長は、必ずしも、ページング周期の変更にあわせて、変更しなくてもよい。例えば、フレーム長が長くなり、ページング周期をフレーム数単位で小さくした場合、更にページングインターバル長を小さくしなくても、着信時の応答遅延を維持することは出来る。【０１２１】
この場合、ページングインターバル長は、時間単位で見た場合長くなるので消費電力は多くなる傾向にあるが、元々、ページングインターバル長がフレーム数単位で十分小さい場合は、その増加をシステムが許容する方針もありうる。システムのページングインターバル長変更方針は、システムで固有の設定値とし、ページング周期変更部２１、４１を有する制御装置２、移動機ＭＳで共有する。【０１２２】
また、例えば、フレーム長が短くなり、ページング周期をフレーム数単位で大きくした場合、更にページングインターバル長を大きくしなくても、着信通知監視期間が発生する頻度はフレーム長が変わる前後で同じであるので、移動機ＭＳの消費電力を維持することは出来る。【０１２３】
かかる判断によって決められている、システムのページングインターバル長変更方針が非変更の場合（ステップＳ１６、非変更）、旧ページングインターバル長が新ページング周期より等しいか、又は大きく、着信通知監視期間が定義できないような場合を除き、旧ページングインターバル長を新ページングインターバル長とする（ステップＳ１８、１９）。【０１２４】
ページングインターバル長が新ページング周期より等しいか、又は大きい場合（ステップＳ１８、ＹＥＳ）は、新ページングインターバル長を新ページング周期から１フレーム少ないものとする（ステップＳ２０）。【０１２５】
一方、ページングインターバル長を変更する方針の場合（ステップＳ１６、変更）において、旧フレーム長に対する新フレーム長の倍率によっては、新ページングインターバル長が“０”となる可能性がある（ステップＳ２１、ＹＥＳ）。そのような場合、新ページングインターバル長を“１”とする(ステップＳ２２)。【０１２６】
図１０は、本発明の実施例におけるページング情報テーブルである。制御装置２のページング情報保持部２０がページング情報テーブルを保持する。ページング情報テーブルは、移動機識別子ＩＤで示される移動機毎に、アイドルモード遷移時または位置登録更新時のＡ：ページング周期[frame]、Ｂ：ページングオフセットＰoff[frame]、 Ｃ：ページングインターバル長[frame]、 Ｄ：フレーム長[ms]で構成する。【０１２７】
さらに、上述したように、アイドルモード遷移時または位置登録更新時の両方の値を保持する場合は、ページング情報テーブルを２面分有することになる。【０１２８】
上述したように構成することによって、本発明によりフレーム長単位でページング周期が定義されているシステムおいて、フレーム長が変更されても、ページング周期を変更することで、移動機ＭＳの消費電力、及び、着信時の応答遅延を維持することができる。【０１２９】
さらに、第２の実施例として図７に示したように、移動機ＭＳが、フレーム長測定部４０により、接続する無線基地局ＢＳのフレーム長が変わったことを検知した場合、時間単位で見て、ページング周期が同じになるような要求ページング周期１１０を、
移動機ＭＳから制御装置２のページング周期変更部２１へ送信する。そして、ページング周期変更部２１より、変更後のページング周期を受信し、以降は、受信したページング周期で着信通知監視動作を行う。【０１３０】
一方、制御装置２は、要求ページング周期１１０を受信したら、要求ページング周期を基に、ページング周期を変更し、変更したページング周期を移動機ＭＳへ送信する。同時に、変更後のページング周期をページング情報保持部２０に保持しておき、着信データＤＴを受信した場合は、保持しておいたページング周期で、無線基地局ＢＳに着信通知を行う構成である。【０１３１】
本実施例では、第１の実施例構成と異なり、移動機ＭＳが、接続する無線基地局ＢＳのフレーム長が変わったことを検知すると同時に、制御装置２のページング周期を変更し、この変更結果を移動機ＭＳ―制御装置２間で送受信する点が異なる。【０１３２】
図１１は、かかる第２の実施例におけるページング周期変更要求手順フローである。【０１３３】
移動機ＭＳのページング周期変更部４１と制御装置２のページング周期変更部２１間でメッセージを送受信する。【０１３４】
図１１おいて、移動機ＭＳは、フレーム長の変わったことを検知すると、アイドルモードに遷移するときと同様に、時間単位で見た場合、ページング周期が同じになるような要求ページング周期を送信する（ステップＳ１）。ページング周期を時間単位で同じにする手順は、第１の実施例のページング周期変更手順(図９参照)の新ページング周期を決定する部分と同様である。【０１３５】
なお、そもそも、移動機ＭＳの消費電力と応答遅延の要件が変わっている際は、その新たな消費電力と応答遅延の要件に応じて、要求ページング周期を決定する。要求ページング周期の送信には、例えば、IEEE 802.16e標準のレンジング・メッセージ(RNG-REQ)を流用する(ステップＳ１)。【０１３６】
要求ページング周期とこれに対する応答は、移動機ＭＳと無線基地局ＢＳ間で無線のレンジング処理を行うレンジング・メッセージ（RNG-REQ、RNG-RSP）により行う。【０１３７】
ここでの要求ページング周期（RNG-REQ）は、ページング周期変更要求メッセージに相当する。IEEE
802.16e標準上、移動機ＭＳが無線基地局ＢＳとリンクを確立するためには、レンジング・メッセージ(RNG-REQ)を必ず送信する必要があるので、このメッセージに要求ページング周期を載せることで通知が可能である。【０１３８】
現状のIEEE 802.16e標準のレンジング・メッセージ（RNG-REQ）では、要求ページング周期を載せることはできないので、載せられるようにレンジング・メッセージ（RNG-REQ）の仕様を変更する。【０１３９】
次に、無線基地局ＢＳが制御装置２へ、要求ページング周期を送信する（ステップＳ２Ａ）。この送信には、例えば、WiMAX Forum NWG(Network Working Group)仕様のLU_Reqメッセージを流用する（ステップＳ２Ａ）。ここでのLU_Reqメッセージは、ページング周期変更要求通知メッセージに相当する。【０１４０】
次に制御装置２は、移動機ＭＳがアイドルモードＩＭへ遷移するときと同様に移動機ＭＳのページング周期ＰＣ、ページングオフセットＰoff、ページングインターバル長ＰＬを決定し、無線基地局ＢＳへ送信する（ステップＳ３Ａ）。【０１４１】
また、ページンググループＰＧについては、制御装置２は、移動機ＭＳが移動してページンググループが変わった場合は、その変更後のページンググループを、あるいはページンググループが変わっていない場合は、以前のページンググループと同じページンググループを無線基地局ＢＳへ送信する。【０１４２】
図１１のステップＳ３Ａの制御装置２から無線基地局ＢＳへの送信には、例えば、WiMAX Forum NWG(Network Working Group)仕様のLU_Rspメッセージを流用する。ここでのLU_Rspメッセージは、ページング周期変更要求応答メッセージに相当する。【０１４３】
次に、無線基地局ＢＳは、移動機ＭＳへページング周期、ページングオフセット、ページングインターバル長、ページンググループを送信する（ステップＳ４Ａ）。この送信には（RNG-REQ）に対応する（RNG-RSP）を流用する。ここでの（RNG-RSP）はページング周期応答メッセージに相当する。【０１４４】
次にページング周期応答メッセージを送信した無線基地局ＢＳは、ページング周期変更確認メッセージを制御装置２へ送信する（ステップＳ５）。ページング周期変更確認メッセージには、例えば、WiMAX Forum NWG(Network Working Group)仕様のLU_Confirmメッセージを流用する。【０１４５】
なお、従来の技術と同様にページングインターバル長を制御装置２ではなく、無線基地局ＢＳが、システムで一意に設定された値に従って決定しても良い。その場合、ページング周期変更要求応答メッセージに相当する（LU_Rsp）は、ページングインターバル長を搬送しない。【０１４６】
図１２は、第２の実施例におけるページング情報テーブルである。ページング情報保持部２０が保持する。本実施例のページング情報テーブルは、第１の実施例と違い、フレーム長を保持する必要はない。フレーム長の変更を考慮したページング周期の変更は、移動機ＭＳのページング周期変更部４１が、要求ページング周期として、制御装置２へ伝達しているので、制御装置２では、そのために必要なフレーム長に関する情報は必要ないからである。【０１４７】
上述のように無線基地局ＢＳがページングインターバル長を決定する場合は、ページング情報テーブルが移動機毎のページングインターバル長を保持する必要はない。【０１４８】
第２の実施例に関する上記の構成により、フレーム長単位でページング周期が定義されているシステムおいて、フレーム長が変更されても、ページング周期を変更することで、移動機ＭＳの消費電力、及び、着信時の応答遅延を維持することができる。【０１４９】
次に第３の実施例では、図８に示したように移動機ＭＳが、接続する無線基地局ＢＳのフレーム長が変わったことを検知した場合、移動機ＭＳが、ページング周期変更要求を制御装置２へ送信し、制御装置２が、時間単位で見た場合、ページング周期が同じになるようなページング周期を移動機ＭＳへ応答する実施例の形態である。【０１５０】
この第３の実施例では、第２の実施例と異なり、ページング周期変更要求メッセージが要求ページング周期を搬送しない。このようにすることで、IEEE 802.16eの標準メッセージ仕様を変更せずに済む。【０１５１】
図１３は、この第３の実施例におけるページング周期変更要求手順フローである。【０１５２】
第２の実施例のページング周期変更要求手順(図１１)との違いは、ページング周期変更要求メッセージであるレンジング・メッセージ（RNG-REQ）が要求ページング周期を搬送しない点にある。【０１５３】
現状のIEEE 802.16e標準のページング周期変更要求メッセージでは、要求ページング周期を載せることはできないので、これにより、IEEE
802.16eの標準メッセージ仕様を変更しなくて済む。【０１５４】
また、同様に無線基地局ＢＳから制御装置２へのページング周期変更要求通知メッセージであるLU_Reqメッセージも、要求ページング周期を搬送しない（ステップＳ２Ｂ）。【０１５５】
この第３の実施例におけるページング情報テーブルは、第１の実施例のページング情報テーブル(図１０参照)と同様であり、移動機毎のフレーム長を保持する必要がある。【０１５６】
本実施例のページング周期変更部２１、４１は、第１の実施例１と同様の手順(図９参照)で、ページング周期を変更する。【０１５７】
第１の実施例との違いは、変更後のページング周期、 ページングオフセットＰoff、 ページングインターバルをページング情報保持部２０へ送信し、ページング情報保持部２０が保持する点である。【０１５８】
上述のようにすることによって、フレーム長単位でページング周期が定義されているシステムおいて、フレーム長が変更されても、ページング周期を変更することで、移動機ＭＳの消費電力、及び、着信時の応答遅延を維持することができる。【０１５９】
次に、第４の実施例として、アイドルモード遷移時、及び、位置登録更新時、及び、ページング周期変更要求時に、移動機毎に、ページング周期変換方式、及びこのページング周期変換方式に必要なパラメータ群を動的に設定できるようにしたものである。【０１６０】
図１４は、この第４の実施例のアイドルモード遷移手順フローである。【０１６１】
従来技術のアイドルモード遷移手順(図２参照)と異なり、移動機ＭＳ−無線基地局ＢＳ間で、要求変換方式コード、要求パラメータ群を送受信している。【０１６２】
ここで、要求変換方式コードとは、ページング周期の変換方式の種類にコードを割り当てたものである。例えば、上述した第１〜第３の実施例毎に一意のコードを割り当てることとする。【０１６３】
さらに、要求パラメータ群とは、前記変換方式を動作させるに当たって必要な、複数のパラメータである。例えば、第１の実施例のページング周期変更手順(図９参照)では、ページング周期閾値、最小ページング周期、最小ページングインターバル長が相当する。【０１６４】
上述のように変換方式コードとパラメータ群を定義し、移動機ＭＳ−無線基地局ＢＳ間でやり取りすることによって、移動機毎に、ページング周期変換方式、及び、該方式に必要なパラメータ群を動的に設定できるようになる。【０１６５】
尚、図１４では、アイドルモード遷移手順であるが、位置登録更新時、ページング周期変更要求時も同様に移動機ＭＳ―無線基地局ＢＳ間で変換方式コード、及び、パラメータ群をやり取りすれば、移動機毎に、ページング周期変換方式、及び、該方式に必要なパラメータ群を動的に設定できるようになる。【０１６６】
また、図１４では、ステップＳ１Ｃ、Ｓ４Ｃにおいて、要求メッセージ及び応答メッセージが、変換方式コード及びパラメータ群を搬送しているが、要求メッセージだけ、若しくは、応答メッセージだけが、変換方式コード及びパラメータ群を搬送しても良い。【０１６７】
要求メッセージだけの場合は、移動機ＭＳが、最終的な変換方式コード及びパラメータ群の決定権を有することになる。応答メッセージだけの場合は、移動機ＭＳの要求に関係なく、無線基地局ＢＳまたは制御装置２が、最終的な変換方式コード及びパラメータ群を決定することになる。また、変換方式コード、パラメータ群のどちらかだけを搬送しても良い。【０１６８】
上記実施例によれば、フレーム数でページング周期が定義されているシステムおいて、フレーム長が変わっても、時間単位で同じになるようにページング周期を変更することで、移動機ＭＳの消費電力、及び、着信時の応答遅延を維持することができる効果がある。【０１６９】
また、フレーム数でページング周期が定義されているシステムおいて、フレーム長が変わった際、移動機ＭＳと無線基地局ＢＳ間でメッセージ送受信せずに、時間単位で同じになるようにページング周期を変更することで、移動機ＭＳの消費電力、及び、着信時の応答遅延を維持することができる効果がある。【０１７０】
また、フレーム数でページング周期が定義されているシステムおいて、フレーム長が変更された際、移動機と無線基地局間でメッセージ送受信し、時間単位で同じになるようにページング周期を変更することで、無線基地局ＢＳまたは制御装置２のページング情報テーブルの容量を削減しつつ、移動機ＭＳの消費電力、及び、着信時の応答遅延を維持することができる効果がある。【０１７１】
さらに、アイドルモード遷移時、及び、位置登録更新時、及び、ページング周期変更要求時に、移動機毎に、ページング周期変換方式、及び、前記方式に必要なパラメータ群を動的に設定できる。
【産業上の利用可能性】
【０１７２】
本発明は無線通信システムにおいて、移動機の消費電力の面や着信時の応答遅延の面で寄与するところは大である。
【図１】
2009022367.tif 000003
【図２】
2009022367.tif 000004
【図３】
2009022367.tif 000005
【図４】
2009022367.tif 000006
【図５】
2009022367.tif 000007
【図６】
2009022367.tif 000008
【図７】
2009022367.tif 000009
【図８】
2009022367.tif 000010
【図９】
2009022367.tif 000011
【図１０】
2009022367.tif 000012
【図１１】
2009022367.tif 000013
【図１２】
2009022367.tif 000014
【図１３】
2009022367.tif 000015
【図１４】
2009022367.tif 000016
【国際調査報告】
2009022367.tif 000017
2009022367.tif 000018